(57)【要約】【課題】一次側トランスと二次側トランスの間の空間の磁束を利用して、両トランスのコアが正対するように自動的に補正移動する。【解決手段】二次側コア２２は、ボビン２０に一体固着されているが、一次側コア３２は、ボビン３０に対して移動自在となるように隙間Ｓを有すると共に、ボール３６によりケース３５に平面方向に移動自在に支持される。一次側トランス１１から二次側トランス８に電磁誘導により電力供給する際、空間Ｇでの磁束線Ｊが短くなる方向に、一次側コア３２が移動する。【選択図】図４
2013090392.tif 000002
【特許請求の範囲】
【請求項１】
交流電源から電力供給される一次側コイルと、該一次側コイルが巻回されかつ中空形状のボビンと、該ボビンの中空部を貫通しかつ磁性体からなるコアと、を有する一次側トランスと、
移動体に配置される電池に電力供給する二次側コイルと、該二次側コイルが巻回されかつ中空形状のボビンと、該ボビンの中空部を貫通しかつ磁性体からなるコアと、を有する二次側トランスと、を備え、
前記一次側コイルの通電により前記一次側トランスのコアに発生する磁束が、空間を介して前記二次側トランスのコアに伝達され、前記二次側コイルに電力が伝達されて前記電池を充電してなる非接触充電装置において、
前記一次側トランス及び二次側トランスのいずれか一方は、前記ボビンに対して前記コアが移動自在となるように貫通し、
前記移動自在となるコアが、他方の前記コアとの間での前記空間における磁束線の長さが短くなる方向に自動的に移動してなる、
ことを特徴とする非接触充電装置。
【請求項２】
前記一次側トランス及び前記二次側トランスは、上下方向に対して平面方向に広い扁平箱型のケースに収められ、
前記コアが移動自在となる側のトランスは、前記ボビンが前記ケースに固定され、前記コアが、前記ボビンに対して所定隙間を介在すると共に、前記ケースにその平面方向に移動自在な支持部材を介して支持されてなる、
請求項１記載の非接触充電装置。
【請求項３】
前記移動体が、電気モータを駆動源として備える自動車であり、
前記一次側トランスが、給電設備に設けられ、かつ前記自動車が駐車し得るスペースに配置され、
前記コアが移動自在である一方のトランスが、前記一次側トランスであり、前記二次側トランスが、前記自動車の床面近傍に配置され、
前記自動車が、前記給電設備に設けられた駐車スペースに駐車した際、前記一次側トランスと前記二次側トランスとが、前記ケースの広い平面を対向して互いに近接してなり、
かつ前記自動車が前記駐車スペースに駐車した際の前記二次側トランスの前記コアに対して、前記一次側トランスの前記コアは、正対する位置にて互いに平行になる方向に移動してなる、
請求項２記載の非接触充電装置。
【請求項４】
前記一次側及び二次側トランスの前記コアは、フェライトからなり、前記ボビンの中空部を貫通する長手状の第１の部位と、該第１の部位の両端において該第１の部位の長手方向に対して直交する第２の部位と、を有し、
前記一次側及び二次側トランスのコアの前記第２の部位が互いに対向して、前記空間における磁束線を形成してなる、
請求項１ないし３のいずれか記載の非接触充電装置。
【請求項５】
前記コアが移動自在となるトランス側の前記コアは、前記ボビンの中空部を貫通する長手状の第１の部位と、前記第１の部位の両端において該第１の部位の長手方向に対して直交する第２の部位と、を有し、
これら両端の第２の部位と前記ケースとの間に前記支持部材を介在してなる、
請求項２ないし４のいずれか記載の非接触充電装置。
【請求項６】
前記移動自在となるトランス側の前記コアは、前記ケースとの間でその移動量が規制され、該コアが規制範囲で移動している状態で、前記第２の部位が前記ボビンに当接することがないように構成されてなる、
請求項５記載の非接触充電装置。
【請求項７】
交流電源から電力供給される一次側コイルと、該一次側コイルが巻回されかつ中空形状のボビンと、該ボビンの中空部を貫通しかつ磁性体からなるコアと、を有する一次側トランスと、を備え、
前記一次側コイルの通電により前記一次側トランスのコアに発生する磁束が、空間を介して二次側トランスのコアに伝達され、二次側コイルに電力を伝達してなる非接触給電設備において、
前記一次側トランスは、前記ボビンに対して前記コアが移動自在となるように貫通し、
該一次側トランスのコアが、前記二次側トランスのコアとの間での前記空間における磁束線の長さが短くなる方向に自動的に移動してなる、
ことを特徴とする非接触給電設備。
【発明の詳細な説明】
【技術分野】
【０００１】
本発明は、非接触状態で、例えば電気自動車，プラグインハイブリッド車等の移動体における電池に、例えば駐車場等に設置されて給電設備から充電を行う非接触充電装置並びにそれに用いる非接触給電設備に関する。
【背景技術】
【０００２】
一般に、移動体、例えば電気自動車、プラグインハイブリッド車に備えられている電池に充電するには、給電設備から延びるケーブルのコネクタを移動体に備えられているコネクタに差込んで行われるため、ケーブルの取り回し、コネクタの接合等の面倒な作業を必要とする。
【０００３】
従来、給電側に一次側コイルを有する一次側トランスを設け、移動体側に受電手段としての二次側コイルを有する二次側トランスを設け、前記一次側トランスからの磁束を受けて前記二次側トランスに電磁誘導により所定電力を発生して、非接触にて移動体の電池に充電する非接触充電装置が開発されている(特許文献１参照)。
【０００４】
該非接触充電装置は、上記一次側トランスを有する給電設備上に上記移動体である自動車をパーキングして、上記一次側トランスから二次側トランスに電磁誘導により電力が供給されるが、一次側トランスと二次側トランスが正対した位置にある場合、最も高い効率で給電が行われる。このため、特許文献１のものは、給電設備側の一次側トランス又は移動体側の二次側トランスを、アクチュエータからなる可動手段により移動自在に構成し、充電要求信号を受けていない場合、例えば一次側トランスが駐車スペースの走行面と面一となるように邪魔にならない位置（第２の配置）に保持し、充電要求信号を受けている場合、一次側トランスと二次側トランスが近接して正対する位置（第１の位置）に保持するように移動する。
【０００５】
更に、例えば一次側トランスを可動手段（アクチュエータ）により、水平面（前後、左右）方向に移動して、例えば二次側トランスに誘起される交流電力が大きくなる位置（第３の位置）に移動する。これにより、電気自動車（移動体）を、その二次側トランスが給電設備の一次側トランス上に正確に移動することができない場合でも、可動手段により両トランスが正対する位置に移動して、高い効率で非接触充電することができる。
【先行技術文献】
【特許文献】
【０００６】
【特許文献１】特開２０１０−１８３８０４号公報（特に図６参照）
【発明の概要】
【発明が解決しようとする課題】
【０００７】
上記特許文献１に記載の非接触充電装置は、一次側（又は二次側）トランスを移動するために、（電動又は油圧）アクチュエータ等の専用の可動手段を必要とし、かつコア（鉄心）を含めた一次側（又は二次側）トランス全体を上記可動手段で移動する必要があり、例えば駐車スペースの下部に、一次側トランス全体を移動し得る大きな出力のアクチュエータ（可動手段）を設置する必要がある。また、両トランスを平面方向で正対するには、一次側トランスを可動手段により各座標に順次移動し、これら座標における各二次側トランスに誘起される交流電力の大きさのデータを作成し、該誘起交流電力の最も大きい位置を最適位置（座標）と判断して、該座標に向けて一次側トランスを移動する制御を必要とし、上記可動手段の制御が面倒である。
【０００８】
従って、アクチュエータ等の可動手段で一次側（又は二次側）トランスを移動するには、給電設備側（又は自動車側）に大容量のアクチュエータ及びその制御装置を必要として、コストアップの原因となる。
【０００９】
そこで、本発明は、一次側又は二次側トランスのコア（鉄心）を移動自在として、一次側トランスから二次側トランスへの磁束を利用して、上記コアが正対するように自動的に補正移動し、もって上述した課題を解決した非接触充電装置並びにそれに用いる非接触給電設備を提供することを目的とするものである。
【課題を解決するための手段】
【００１０】
本発明は、交流電源（１２）から電力供給される一次側コイル（３１）と、該一次側コイルが巻回されかつ中空形状のボビン（３０）と、該ボビンの中空部（３０ｂ）を貫通しかつ磁性体からなるコア（３２）と、を有する一次側トランス（１１）と、
移動体（６）に配置される電池（７）に電力供給する二次側コイル（２１）と、該二次側コイルが巻回されかつ中空形状のボビン（２０）と、該ボビンの中空部（２０ｂ）を貫通しかつ磁性体からなるコア（２２）と、を有する二次側トランス（８）と、を備え、
前記一次側コイル（３１）の通電により前記一次側トランス（１１）のコア（３２）に発生する磁束が、空間（Ｇ）を介して前記二次側トランス（８）のコア（２２）に伝達され、前記二次側コイル（２１）に電力が伝達されて前記電池（７）を充電してなる非接触充電装置（１）において、
前記一次側トランス（１１）及び二次側トランス（８）のいずれか一方（例えば一次側トランス）は、前記ボビン（３０）に対して前記コア（３２）が移動自在となるように貫通し、
前記移動自在となるコア（３２）が、他方の前記コア（２２）との間での前記空間（Ｇ）における磁束線（Ｊ）の長さが短くなる方向に自動的に移動してなる、
ことを特徴とする非接触充電装置にある。
【００１１】
例えば図１（ｂ）及び図２を参照して、前記一次側トランス（１１）及び前記二次側トランス（８）は、上下方向に対して平面方向に広い扁平箱型のケース（３５）（２５）に収められ、
前記コア（３２）が移動自在となる側のトランス（１１）は、前記ボビン（３０）が前記ケース（３５）に固定され、前記コア（３２）が、前記ボビン（３０）に対して所定隙間（Ｓ，Ｓ１，Ｓ２）を介在すると共に、前記ケース（３５）にその平面方向に移動自在な支持部材（例えばボール３６）を介して支持されてなる。
【００１２】
例えば図１（ａ）及び図４を参照して、前記移動体が、電気モータを駆動源として備える自動車（６）であり、
前記一次側トランス（１１）が、給電設備（２）に設けられ、かつ前記自動車（６）が駐車し得るスペース（３）に配置され、
前記コア（３２）が移動自在である一方のトランスが、前記一次側トランス（１１）であり、前記二次側トランス（８）が、前記自動車（６）の床面近傍に配置され、
前記自動車（６）が、前記給電設備に設けられた駐車スペース（３）に駐車した際、前記一次側トランス（１１）と前記二次側トランス（８）とが、前記ケース（３５，２５）の広い平面を対向して互いに近接してなり、
かつ前記自動車（６）が前記駐車スペースに駐車した際の前記二次側トランス（８）の前記コア（２２）に対して、前記一次側トランス（１１）の前記コア（３２）は、正対する位置にて互いに平行になる方向に移動してなる。
【００１３】
例えば図３及び図４を参照して、前記一次側及び二次側トランス（１１）（８）の前記コア（３２）（２２）は、フェライトからなり、前記ボビン（３０）（２０）の中空部（３０ｂ）（２０ｂ）を貫通する長手状の第１の部位（３２ａ）（２２ａ）と、該第１の部位の両端において該第１の部位の長手方向に対して直交する第２の部位（３２ｂ，３２ｂ）（２２ｂ，２２ｂ）と、を有し、
前記一次側及び二次側トランス（１１）（８）のコア（３２）（２２）の前記第２の部位（３２ｂ）（２２ｂ）が互いに対向して、前記空間（Ｇ）における磁束線（Ｊ）を形成してなる。
【００１４】
前記コアが移動自在となるトランス（１１）側の前記コア（３２）は、前記ボビン（３０）の中空部（３０ｂ）を貫通する長手状の第１の部位（３２ａ）と、前記第１の部位の両端において該第１の部位の長手方向に対して直交する第２の部位（３２ｂ，３２ｂ）と、を有し、
これら両端の第２の部位と前記ケース（３５）との間に前記支持部材（３６）を介在してなる。
【００１５】
前記移動自在となるトランス側（１１）の前記コア（３２）は、前記ケース（３５）との間でその移動量が規制され、該コアが規制範囲で移動している状態で、前記第２の部位（３２ｂ）が前記ボビン（３０）に当接することがないように構成されてなる。
【００１６】
また、本発明は、交流電源（１２）から電力供給される一次側コイル（３１）と、該一次側コイルが巻回されかつ中空形状のボビン（３０）と、該ボビンの中空部（３０ｂ）を貫通しかつ磁性体からなるコア（３２）と、を有する一次側トランス（１１）と、を備え、
前記一次側コイル（３１）の通電により前記一次側トランス（１１）のコア（３２）に発生する磁束（Ｊ）が、空間（Ｇ）を介して二次側トランス（８）のコア（２２）に伝達され、二次側コイル（２２）に電力を伝達してなる非接触給電設備（２）において、
前記一次側トランス（１１）は、前記ボビン（３０）に対して前記コア（３２）が移動自在となるように貫通し、
該一次側トランス（１１）のコア（３２）が、前記二次側トランス（８）のコア（２２）との間での前記空間（Ｇ）における磁束線（Ｊ）の長さが短くなる方向に自動的に移動してなる、
ことを特徴とする非接触給電設備（２）にある。
【００１７】
なお、上記カッコ内の符号は、図面と対照するためのものであるが、これにより特許請求の範囲の構成に何等影響を及ぼすものではない。
【発明の効果】
【００１８】
請求項１又は７に係る本発明によると、一次側及び二次側のトランスの一方のコアをボビンに対して移動自在になるように貫通し、両コアとの間での空間における磁束線の長さが短くなるように、上記移動自在なコアを移動するので、アクチュエータ等の特別の可動手段を必要とせず、一次側トランスと二次側トランスとが電力の伝達効率が最良となるように自動的に位置補正して、コストアップを伴うことなく、高い効率での電磁誘導による非接触での請求項１においては充電、請求項７においては給電を行うことができる。
【００１９】
請求項２に係る本発明によると、一次側トランス及び二次側トランスは、上下方向に薄くかつ平面方向に広い扁平箱形のケースに収納されるので、一次側及び二次側トランスは、雨や雪等の外気に対して保護されると共に、両トランスが直接又は他の物に接触することを防止しつつ、広い扁平面で互いに近接して配置することができ、電磁誘導による電気自動車及びプラグインハイブリッド車等の大きな電力の非接触充電が可能となる。
【００２０】
更に、コアが移動自在となる側のトランスは、ボビンがケースに固定され、コアが、前記ボビンに対して所定隙間を介在すると共に、ケースにその平面方向に移動自在な支持部材を介して支持されるので、コアは、コイルを巻回したボビンの重量を受けることなく平面方向に滑らかに所定量移動して、電磁誘導による一次側トランス及び二次側トランスとの間の電力供給に伴う磁束により上記コアを移動して適正に位置補正することができる。
【００２１】
請求項３に係る本発明によると、移動体は、電気自動車、プラグインハイブリッド車等の駆動源として電気モータを有する自動車であり、給電設備を有する駐車スペースに上記自動車を駐車することにより、一次側トランスと二次側トランスとを、両ケースの広い平面を対向して互いに近接するものであって、自動車の床面近傍に配置された二次側トランスの固定側となるコアに対して、給電設備側にある一次側トランスのコアは、上記固定側となるコアに近接した正対した位置でかつ互いに平行になる方向に移動するので、自動車が正規の位置からズレて駐車しても、一次側トランスのコアは、上記ズレた位置のコアに対して、前後方向、左右幅方向及び進入角ズレ方向を自動的に位置補正して、高い効率で充電を行うことができる。
【００２２】
請求項４に係る本発明によると、一次側トランス及び二次側トランスのコアは、フェライトからなるので、大きな磁力を得ることができ、かつ長手状の第１の部位と該第１の部位の両端にて長手方向に対して直交する第２の部位とを有するので、一次側トランス及び二次側トランスにおける両コアの第１の部位の両端の第２の部位が互いに対向して、空間における磁束線を形成するので、両コアは、長手状の第１の部位、第２の部位及び両第２の部位の間の空間からなる磁束回路を形成して、可動側のコアを、固定側のコアに正対する上記空間での磁束線が短くなるように確定かつ正確に移動することができる。
【００２３】
請求項５に係る本発明によると、可動側となるコアの第２の部位とケースとの間にボール等の支持部材を介在したので、該コアは、ケースの平面に沿って移動し、ボビン中空部との間で、コジリを生ずることなく滑らかに移動することができる。
【００２４】
請求項６に係る本発明によると、コアは、ケースに支持部材を介して移動自在に支持され、その移動量は、ケースとの間で規制されるので、移動するコアの第２の部位がボビンに当接してボビンに大きな衝撃力を作用することはなく、ボビンは、ケースに接着等の簡単な手段で固定すれば足り、ボビンの固定方法を始めとして、一次側及び二次側トランスの構成、ひいては非接触充電装置の構成を簡単化すると共に設計の自由度を向上することができる。
【図面の簡単な説明】
【００２５】
【図１】（ａ）は、給電設備を有する駐車スペースに電気モータを駆動源とする自動車を駐車して充電状態を示す全体側面図、（ｂ）は、その自動車（移動体）側にある二次側トランスを示す分解斜視図。
【図２】給電設備側にある一次側トランスを示す分解斜視図。
【図３】一次側トランスを示す図で、（ａ）は平面図、（ｂ）は正面断面図、（ｃ）は側面断面図。
【図４】一次側及び二次側トランスを示す正面断面図で、（ａ）は、一次側トランスと二次側トランスのコアが正対していない状態を示し、（ｂ）は、磁束により両トランスのコアが正対した状態を示す。
【図５】非接触充電装置の回路の概略を示す図。
【図６】一部変更した非接触充電装置の回路の概略を示す図。
【図７】上記非接触充電装置の作動を示すフローチャート。
【図８】上記非接触充電装置の一部変更した作動を示すフローチャート。
【発明を実施するための形態】
【００２６】
以下、図面に沿って、移動体として、電気自動車，プラグインハイブリッド車等の電気モータを駆動源とする自動車に適用した非接触充電装置について説明する。非接触充電装置１は、図１に示すように、駐車スペース３を有する給電設備２と、受電装置５を有する上記自動車６とを備える。自動車６は、図示しない電気モータを有しており、該電気モータは、上記自動車６に搭載されているリチウムイオン電池、ニッケル水素電池等の放充電可能な電池（バッテリ）７からの電力によりインバータ等を介して回転駆動される。
【００２７】
上記受電装置５は、自動車６の床面近くに配設されている二次側トランス８を有しており、該二次側トランス８のコイルが整流器９及び充電器１０を介して上記電池７に電通している。給電設備２は、駐車スペース３の走行面に配置される一次側トランス１１を有しており、該一次側トランス１１のコイルには、図５及び図６に示すように、商用の交流電源１２からの交流が交流直流変換器１３により直流に変換され、更にインバータ１５により高周波に変換された電力が供給される。
【００２８】
二次側トランス８は、図１（ｂ）に示すように、非磁性体からなり、中空形状で両端に鍔部２０ａが形成されたボビン２０を有しており、該ボビン２０の上記両端鍔部２０ａ，２０ａの間の外周面にコイル２１が絶縁状に巻回されており、該コイル２１は上述したようにインバータ１５から電力供給される。上記ボビン２０の中空部２０ｂには磁性体からなるコア（鉄心）２２が貫通し、かつ一体に嵌合・固着されている。コア２２は、強磁性体からなるフェライトにより形成され、前記ボビン２０の中空部２０ｂに貫挿する長手板形状の第１の部位２２ａと、該第１の部位の両端に固定され、該第１の部位の長手方向と直交する方向に延びる板状ブロック片からなる第２の部位２２ｂ，２２ｂとからなる。
【００２９】
上記一体のボビン２０、コイル２１及びコア２２は、上下方向が薄く平面方向に広い扁平箱状のケース２５に収納されて一体に固定される。該ケース２５は、非磁性体からなる本体２５ａと上蓋２５ｂからなり、これら本体２５ａと上蓋２５ｂとの間に、上記一体のボビン２０、コイル２１及びコア２２を密接して、かつ上記コア２２の長手方向が自動車６の前後方向と一致するようにして、収納される。二次側トランス８は、その広い平面が自動車６の床面と平行になるように、即ち走行面３と平行になるように自動車下部に配置される。
【００３０】
一次側トランス１１は、図２及び図３に示すように、前記二次側トランス８と同様に、中空部３０ｂを有するボビン３０、コイル３１及びコア３２からなる。ボビン３０は、非磁性体からなり、両端に形成された鍔部３０ａ，３０ａの間の外周部にコイル３１が巻回されており、該コイル３１は、電池７に接続して電力を供給し得る。コア３２は、強磁性体のフェライトからなり、前記ボビン３０の中空部３０ｂに貫通する長手板状の第１の部位３２ａと、該第１の部位の両端に固定され、該第１の部位と直交する方向に延びる板状ブロック片からなる第２の部位３２ｂ，３２ｂとからなる。該コア３２の第１の部位３２ａと上記ボビン３０の中空部３０ｂとは嵌挿関係にあるが、その間には所定隙間Ｓが存在し、コア３２は、その長手（前後）方向及び左右幅方向に移動自在であり、かつ（水平面で）所定量回動自在になっている。即ち、図３（ｃ）に詳示するように、ボビン中空部３０ｂと第１の部位３２ａとの上下方向には僅かな隙間Ｓ１が存在し、かつ左右方向には比較的大きな隙間Ｓ２が存在し、かつ第２の部位３２ｂとボビン鍔部３０ａとの間に隙間Ｓ３が存在する。なお、上記コア３２は、ボビン中空部３０ｂに対して上下方向に摺接して移動自在に支持してもよい。即ち、上下方向の隙間Ｓ１はなくてもよく、その間がフッ素樹脂等の低摩擦係数のコーティンを介して移動自在にしてもよい。
【００３１】
前記ボビン３０、コイル３１及びコア３２は、非磁性体の本体３５ａ及び上蓋３５ｂからなる箱状のケース３５に収納される。前記ボビン３０の鍔部３０ａ，３０ａは、下方３０ａ１が上方より長く構成されており、該下方３０ａ１の下端がケース本体３５ａの底面に密接して接着等により固着されている。上記コア３２の部位３２ｂ，３２ｂの下端には支持部材となる複数のボール３６が列状に保持されており、これらボール３６は、上記ケース本体３５ａの底面に転動して、コア３２を、ケース３５の平面に沿って移動自在に支持されている。なお、支持部材は、コア第２の部位３２ｂ，３２ｂに保持されたボール３６のように、平面方向に滑らかに移動し得るものが好ましいが、これに限らず、摩擦係数の低い滑り部材でもよく、又はクロススライダー、ローラ等の他の転がり装置でもよく、またボビンに対して長手方向のみ移動自在なボールスプラインを介在したものでもよい。
【００３２】
上記ケース３５は、非磁性体からなり、かつ上下方向に薄くかつ平面方向に広い扁平矩形状からなり、給電設備２を有する駐車スペース３の路面（走行面）に設置される（図１（ａ）参照）。上記駐車スペースに自動車６を入れる自動車の進入方向（前後方向、前進方向）に、前記コア３３の長手方向が一致するように、かつ自動車の車輪の間部分に上記一次側トランス１１のケース３５が扁平状に位置するように配置される。なお、前記二次側トランス８は、コア２２の長手方向が自動車６の前後方向になるように、また前記一次側トランス１１は、コア３２の長手方向が自動車の進入方向になるように配置したが、これに限らず、コア２２，３２の幅方向を、それぞれ自動車の前後方向及び自動車の進入方向に一致するように配置してもよい。
【００３３】
図５及び図６は、給電設備２及び受電装置５からなる非接触充電装置１を示す概略ブロック図であり、給電設備２は、商用交流電源１２から取出し、該電源１２からの交流を交流直流変換器１３により直流に変更する。更に、該直流をインバータ１５により高周波に変換して一次側トランス１１のコイル３１に給電される。受電装置５は、上記一次側トランス１１から電磁誘導により二次側トランス８に受電され、該二次側トランス８のコイル２１で発生した高周波電圧が整流器９により直流電力に変換され、更に充電器１０により調整されて二次電池７に充電される。なお、図５及び図６のブロック図は、基本構造のみを示した概略図である。また、上記交流直流変換器１３により変換された直流が、電流計１４ａ及び電圧計１４ｂにより計測され、一次側トランス１１に供給される電力が計測される。また、整流器９と充電器１０との間に、電流計２４ａ及び電圧計２４ｂが配置され、整流器９からの直流を計測して、充電器１０に供給される電力が計測される。
【００３４】
充電を必要とする電気自動車又はプラグインハイブリッド車６は、所定の給電設備２のある駐車スペース３に進入して駐車する。この際、自動車６の下面にある二次側トランス８が、給電設備２の一次側トランス１１に、両ケース２５，３５の広い平面が対向するように近接する。そして、自動車６の運転手は、充電要求信号を給電設備２に送信する。これにより、一次側トランス１１のコイル３１に高周波の交流電流が流れて、コア３２に交流磁界が発生する。該コア３２の磁束Ｊは、その両側の第２の部位３２ｂ，３２ｂから、空間（ギャップ）Ｇを介してそれに近接配置されている二次側トランス８におけるコア２２の両端の第２の部位２２ｂ，２２ｂに伝達されて磁束結合される。該二次側トランス８は、上記コア２２の磁束によりコイル２１に交流電力が発生し、該誘起交流電力が整流器９により直流に変換され、更に充電器１０を介して電池７に供給されて該二次電池７を充電する。
【００３５】
この際、自動車６は、上記駐車スペース３への進入に際して、二次側トランス８に正対して駐車することは困難である。詳しくは、図４（ａ）に示すように、一次側トランス１１のコア３２の第２の部位３２ｂと二次側トランス８のコア２２の第２の部位２２ｂが正確に前後方向、左右幅方向及び平面での回動方向（自動車進入方向）を正確に一致することは困難である。本発明にあっては、自動車の進入が、正規の位置に対して、前後方向位置、左右幅方向位置及び進入角度が所定量の範囲でズレていても、一次側トランス１１と二次側トランス８との間の空間Ｇでの磁束線Ｊが短くなる方向に両トランスのコア３２，２２は力を受ける。
【００３６】
ここで、二次側トランス８は、ケース２５に固定、即ち自動車６に一体に固定されているが、一次側トランス１１のコア３２は、ケース３５に一体のボビン３０に対して上記隙間Ｓ（Ｓ１，Ｓ２，Ｓ３）により移動自在に、かつボール３６によりケース３５に平面方向に移動自在に支持されている。従って、一次側トランス１１のコア３２は、上記磁束線Ｊにより引き付けられ、図４（ｂ）に示すように、二次側トランス８のコアの第２の部位２２ｂ，２２ｂに一次側トランス１１のコアの第２の部位３２ｂ，３２ｂが正対するように、該コア３２が自動的に移動する。即ち、ボビン中空部３０ｂとコア３２の上下方向隙間Ｓ１によりコア３２は、固定されずに移動可能となり、コア３２は、ボビン鍔部３０ａと第２の部位３２ｂとの間の隙間Ｓ３により前後方向に移動され、かつボビン中空部３０ｂとコア３２の左右方向の隙間Ｓ２により左右幅方向に移動され、更に該大きな隙間Ｓ２，Ｓ３によりコア３２は平面内にて回動して、二次側トランス８のコア２２に、一次側トランス１１のコア３２は、前後方向及び左右幅方向に一致しかつ回動方向に平行になるように正対する。これにより、一次側トランス１１と二次側トランス８との間に所定空間Ｇが存在しても、高い効率で電力が供給される。
【００３７】
なお、一次側トランス１１と二次側トランス８との間には、所定空間Ｇが介在し、かつ磁束Ｊは、コイル３１，２１の高周波交流電力に基づく高周波交流磁界であるので、一次側トランス１１のコア３２がその重力に抗して磁力により持上げられることはない。また、コア３２の移動範囲、特に第１の部位３２ａの長手方向（前後方向）の動きは、コアの第２の部位３２ｂの側端がケース３５に当接することにより規制され、該可動範囲において、第２の部位３２ｂがボビン３０の鍔部３０ａに当接することはない。これにより、ボビン３０のケース３５での固定は、接着等の簡単な固着手段で足りる。なお、コア３２の前後方向の動きに限らず、左右幅方向及び回動方向の動きに対しても、コアの第２の部位３２ｂがケース３５に当接することにより規制されるようにしてもよい。
【００３８】
図５には、二次側トランス８と整流器９との間に、スイッチＡ及び抵抗Ｒが並列に接続されている。図６には、整流器９と充電器１０との間に、スイッチＢ及び抵抗Ｒが並列に接続されている。いずれも、二次側トランス８と充電器１０との間に短絡回路（スイッチＡ又はＢ並びに抵抗Ｒ）４０を並列に接続することにより、二次側回路の抵抗が充電時よりも小さくなるため、二次側トランスの電流が充電時よりも増大し、それに合せて一次側トランス１１の電流を増大する。従って、電流が増大することにより、一次側及び二次側の両コア２２，２３磁束密度も増大し、空間Ｇでの両コアの引き合う力が、充電時より増加する。
【００３９】
これにより、一次側トランス１１のコア３２を二次側トランス８のコア２２に正対すべく、素早く移動することが可能となり、位置補正を短時間で行うことができる。また、一次側トランスのコア３２を大きな力で動かすことができるので、両トランスの位置ずれが大きい場合や、一次側トランスの動きが渋い場合でも、一次側コアの位置補正が可能となる。なお、上記短絡回路４０は、不要な場合は、設ける必要がない。
【００４０】
上記短絡回路４０を有する本充電装置の作用を図７に沿って説明する。運転者が給電設備２のある駐車スペース３に自動車６を駐車し、充電要求信号を発する（二次側充電開始準備；Ｓ１）。該充電要求信号により、まず、短絡回路４０のスイッチＡ又はＢがオンに切換えられ（Ｓ２）、電源１３から一次側トランス１１に電力が供給され、前述したように、近接した空間Ｇを介しての電磁結合により、一次側トランス１１と二次側トランス８との両コア３２，３３の間に磁束回路が形成される。（一次側給電開始；Ｓ３）
【００４１】
この際、上記スイッチＡ又はＢのオンにより短絡回路４０を介しての接続により、二次側トランス８のコイル２１に充電時よりも大きな電流が流れる。これにより、電磁結合により一次側トランス１１においても、コイル３１に大きな電流が流れて、空間Ｇを通る磁束密度も増大して、該空間を介して両コア２２，２３が引き合う力も増大する。
【００４２】
上記引き合う力により、一次側トランス１１のコア３２が平面方向に移動して近接した位置となり、給電効率が向上する。給電設備２の電力供給量と、受電装置５の電力受電量とを比較して、給電効率が設定値ε％以上かを判断し（Ｓ４）、設定値ε％以下の場合、予め定められている設定時間Ｔｓｅｃ上記一次側給電開始状態を保持する（Ｓ５）。上記給電効率の判断時点で設定値ε％以上の場合、並びに設定時間Ｔｓｅｃ内で設定値ε％以上となった場合、充電準備は整ったと判断して、一次側給電を一旦オフにする（Ｓ６）。予め定めた時間Ｔｓｅｃ以上、給電効率が所定値ε％以上にならない場合（Ｓ５；ｙｅｓ）、エラーとして、充電作業を停止すると共にその旨を運転者に警告する（Ｓ１０）。
【００４３】
一次側トランス１１のコア３２が適正に位置補正されて充電準備が整うと、短絡回路４０のスイッチＡ又はスイッチＢがオフされる（Ｓ７）。そして、再び一次側給電が開始（Ｓ８）、二次側充電が開始（Ｓ９）されて、近接した空間を介した一次側トランス１１から二次側トランス８へ電磁誘導により電力が供給され、リチウムイオン電池等の二次電池７が充電される。
【００４４】
図８は、図７の一部を変更した実施の形態を示すものであって、ステップ４，５，１０が相違しているのみで他は同じなので、該相違部分のみを説明する。スイッチＡ又はＢがオンして、短絡回路４０が接続して、設定時間Ｔｓｅｃ、強い磁力線により一次側トランス１１のコア３２が二次側トランス８のコア２２に正対するように補正移動が行われる。所定の設定時間Ｔｓｅｃが経過すると（Ｓ１１）、充電準備が整ったと判断して、一次側給電をオフする（Ｓ６）。即ち、上述した強い磁力線により、一次側トランス１１のコア３２が位置補正するのに要する時間Ｔｓｅｃが経過すると、両トランス１１，８のコア３２，２２は充分に近接した位置に補正され、充電準備が整ったと判断する。
【００４５】
なお、上述した実施の形態は、ケース３５とコア３２との間に支持部材であるボール３６を介在して、コア３２を平面方向に移動可能としたが、ボビン３０とコア３２の第１の部位３２ａとの隙間Ｓにボール等を介在して、コアを移動自在に支持してもよい。また、コア３２を磁力により平面方向にのみ移動したが、コアをボビンに対して所定量上下方向に移動可能に、又はケース３５を所定量上下方向移動可能にして、一次側コアを所定量上下方向にも移動して、二次側コアに更に近接するようにしてもよい。
【００４６】
また、上述した実施の形態は、一次側トランス１１のコア３２を移動自在としたが、これを反対にして、一次側コア３２をケース３５に一体に固定し、二次側コア２２を移動自在として、一次側コア３２に対して二次側コア２２が位置補正するようにしてもよい。
【符号の説明】
【００４７】
１        非接触充電装置
２        給電設備
３        駐車スペース
５        受電装置
７        電池
８        二次側トランス
１１      一次側トランス
１２      交流電源
１３      交流直流変換器
２０      ボビン
２０ｂ    中空部
２１      コイル
２２      コア
２２ａ    第１の部位
２２ｂ    第２の部位
２５      ケース
３０      ボビン
３０ｂ    中空部
３１      コイル
３２      コア
３２ａ    第１の部位
３２ｂ    第２の部位
Ｇ        空間
Ｊ        磁束（線）
【図１】
2013090392.tif 000003
【図２】
2013090392.tif 000004
【図３】
2013090392.tif 000005
【図４】
2013090392.tif 000006
【図５】
2013090392.tif 000007
【図６】
2013090392.tif 000008
【図７】
2013090392.tif 000009
【図８】
2013090392.tif 000010